(57)【要約】【課題】軸流ファンの羽根の取付位置を見直すことで、磁極の隙間への風の流れを改善し、磁極の側面に対する冷却効果を高めること。【解決手段】固定子鉄心１ａと固定子巻線１ｂから構成される固定子１と、回転子鉄心４ａと回転子巻線４ｂから構成される複数の磁極４と複数の羽根７を有する軸流ファンとが回転軸３に固定された回転子２を有する回転電機１０において、隣接する磁極４の隙間に冷却風を流すため、軸流ファンの羽根７を、回転子２の周方向の隣接する磁極４の隙間と相対する位置にのみに配置した。【選択図】図２
2020018099.tif 000002
【特許請求の範囲】
【請求項１】
固定子鉄心と固定子巻線から構成される固定子と、
回転子鉄心と回転子巻線から構成される複数の磁極と複数の羽根を有する軸流ファンとが回転軸に固定された回転子を有する回転電機において、
隣接する磁極の隙間に冷却風を流すため、前記軸流ファンの羽根を、前記回転子の周方向の隣接する磁極の隙間と相対する位置にのみに配置したことを特徴とする回転電機。
【請求項２】
請求項１記載の回転電機において、前記軸流ファンの羽根の面が前記回転子の軸方向に対して斜めになるように、前記羽根を設けたことを特徴とする回転電機。
【請求項３】
請求項１に記載の回転電機において、前記軸流ファンの羽根の風入口側の面が前記回転子の軸方向に対して、４５度から９０度の範囲内となるように、前記羽根を設けたことを特徴とする回転電機。
【請求項４】
請求項１乃至３の何れかに記載の回転電機において、前記軸流ファンの羽根の風出口側の面が前記回転子の軸方向と一致するように、前記羽根を設けたことを特徴とする回転電機。
【請求項５】
請求項１乃至４の何れかに記載の回転電機において、前記軸流ファンの羽根の風入口側の面と風出口側の面とを曲面により滑らかにつないだことを特徴とする回転電機。
【発明の詳細な説明】
【技術分野】
【０００１】
本発明は、発電機等の回転電機に係り、特に回転子に軸流ファンを備えた回転電機に関する。
【背景技術】
【０００２】
直流機、同期機や誘導機などの回転電機は、固定子と回転子によって構成され、機能面では電磁誘導の原理を利用し電気エネルギーと機械エネルギー（回転エネルギー）の相互変換をおこなうもので、銅損、鉄損により固定子、回転子には発熱が伴う。このため、回転電機では、正常な運転を行うために、固定子、回転子に対して冷却することが必要となる。一般に、回転電機においては、回転軸に軸流ファンを取り付け、回転子の回転により軸流ファンから生じる風で冷却することが知られている。
【０００３】
従来の回転電機の構成例について、図７及び図８を用いて説明する。  
図７は、従来の回転電機１００の構成例を示し、図８は、図７に示す矢視Ａより回転子を見た図を示す。回転電機１００は、主に固定子１、回転子２、回転子２を支える軸受け６が設けられている。図７に示すように、固定子１は、ドーナツ状の電磁鋼板を軸方向に積層した固定子鉄心１ａと、固定子鉄心１ａの内径側のスロットに納められた固定子巻線１ｂから構成される。
【０００４】
回転子２は、固定子１の内径面から半径方向に隙間をあけて配置され、回転軸３と、中央部の磁極４と、磁極４を挟みこむように、エンジンが直結される直結側と、その反対側の反直結側の回転軸３にそれぞれ設けた軸流ファン５から構成され、軸受け６で支持されている。
【０００５】
磁極４は、電磁鋼板を積層した回転子鉄心４ａに回転子巻線４ｂを巻装した構成となっている。図８に示すように、軸流ファン５の羽根５ａは、回転子２の周方向における、磁極４と相対する位置や、隣接する２つの磁極４の間と相対する位置に配置されている。これにより、回転子２が回転した際に、軸流ファン５のそれぞれの羽根５ａにより、磁極４側へ風が流れるようになっている。
【０００６】
図７及び図８に示す構造の場合、磁極４と相対する位置に配置されている羽根５ａから生じた風は、すぐに磁極４の羽根５ａと相対している端面に当たることで、磁極４の端面を冷却する。そして、磁極４の端面に当たった風は、隣接する磁極４との間の隙間に流れ、磁極４の側面を冷却する。
【０００７】
しかし、磁極４の端面に当たった風は、軸方向への流れが弱くなり、また端面の熱により温度が上がり、磁極４の間に流れる際の磁極４の側面に対する冷却効果が低くなる問題がある。
【０００８】
また、隣接する磁極４の間と相対する位置に配置された羽根５ａから生じた風は、磁極４の間にそのまま流れることで、磁極４の側面を冷却する。しかし、磁極４の間に流れる風は、磁極４と相対する位置に配置されている羽根５ａにより生じた風が磁極４の端面に当たって隣接する磁極４との間の隙間に流れるため、この風によって干渉を受ける。従って、隣接する磁極４の間と相対する位置に配置された羽根５ａから生じた風は、磁極４の間に流れる際には風量が減少し、冷却効果が低下する。
【０００９】
また、従来では、回転電機の軸流ファンによる冷却効果を高めるために、軸流ファンを増設することで機内の風量を上げる構成が考えられている（例えば、特許文献１参照）。
【先行技術文献】
【特許文献】
【００１０】
【特許文献１】特開平７−２４５９１４号公報
【発明の概要】
【発明が解決しようとする課題】
【００１１】
従来の構造では、軸流ファン５の羽根５ａから生じた風が磁極４の端面に当たる場合、磁極４の端面近傍はよく冷却されるが、磁極４の隙間へ流れる風に干渉するため、磁極４の間に流れる風を減少させ、磁極４の側面に対する冷却効果が低下する問題がある。この場合、磁極４の中心付近で温度が高くなり、中心付近の回転子巻線４ｂの絶縁が、劣化する傾向がある。
【００１２】
本発明が解決しようとする課題は、軸流ファンの羽根の取付位置を見直すことで、磁極の隙間への風の流れを改善し、磁極の側面に対する冷却効果を高めることである。
【課題を解決するための手段】
【００１３】
上記の課題を解決するために、請求項１の発明による回転電機は、固定子鉄心と固定子巻線から構成される固定子と、回転子鉄心と回転子巻線から構成される複数の磁極と複数の羽根を有する軸流ファンとが回転軸に固定された回転子を有する回転電機において、隣接する磁極の隙間に冷却風を流すため、前記軸流ファンの羽根を、前記回転子の周方向の隣接する磁極の隙間と相対する位置にのみに配置したことを特徴とする。
【００１４】
請求項２の発明による回転電機は、請求項１の回転電機において、前記軸流ファンの羽根の面を、前記回転子の軸方向に対して斜めに設けたことを特徴とする。
【００１５】
請求項３の発明による回転電機は、請求項１の回転電機において、前記軸流ファンの羽根の風入口側の面を、前記回転子の軸方向に対して、４５度から９０度の範囲内で設けたことを特徴とする。
【００１６】
請求項４の発明による回転電機は、請求項１乃至３の何れかに記載の回転電機において、前記軸流ファンの羽根の風出口側の面を、前記回転子の軸の方向としたことを特徴とする。
【００１７】
請求項５の発明による回転電機は、請求項１乃至４の何れかに記載の回転電機において、前記軸流ファンの羽根の風入口側と風出口側の面を異なる角度で設け、風入口側と風出口側の面を曲面により滑らかにつないだことを特徴とする。
【発明の効果】
【００１８】
本発明によれば、軸流ファンの羽根の取付位置を見直すことで、磁極の隙間への風の流れを改善し、磁極側面の冷却効果を高めることができる。
【図面の簡単な説明】
【００１９】
【図１】本発明の実施の形態における回転電機を側面から見た簡略図。
【図２】図１に示す回転電機のＢ−Ｂ線より軸方向から回転子を見た図。
【図３】本発明の第１の実施の形態における羽根の配置と形状の一例を示す簡略図。
【図４】本発明の第２の実施の形態における羽根の配置と形状の一例を示す簡略図
【図５】本発明の第３の実施の形態における羽根の配置の一例を示す簡略図。
【図６】本発明の第４の実施の形態における羽根の配置と形状の一例を示す簡略図。
【図７】従来の回転電機の構成例を示す図。
【図８】図７に示す矢視Ａより回転子を見た図。
【発明を実施するための形態】
【００２０】
以下、本発明を実施するための形態を、図を参照して説明する。
【００２１】
図１は、本発明の実施の形態における回転電機１０を側面から見た簡略図である。図２は、回転電機１０の図１に示すＢ−Ｂ線より軸方向から回転子２を見た図を示す。なお、図１及び図２において、図７及び図８に示した従来の回転電機１００と同じ構成については、同じ符号を付して詳細な説明を省略する。
【００２２】
図１及び図２に示すように、回転電機１０には、回転子２に、磁極４を挟みこむように、エンジンが直結される直結側と、その反対側の反直結側の回転軸３に、それぞれ複数の羽根７から構成される軸流ファンが設けられている。複数の羽根７は、回転子２の軸方向に、磁極４と近接した位置に設けられ、回転子２の回転に伴って発生する風を、磁極４の方向に効率的に流れるようにしている。
【００２３】
図２に示すように、複数の羽根７は、回転子２の周方向の隣接する磁極４の隙間と相対する位置にのみに配置される。磁極４は、周方向に等間隔に位置されているため、複数の羽根７も周方向に等間隔に配置される。図２に示す通り、磁極４の間はＶ字型になっており、中心部（回転軸３のり方向）に近づくほど狭くなっている。羽根７は、磁極４間の隙間と相対する位置、例えば隣接する磁極４の間の中央に配置される。従って、羽根７によって発生される風は、磁極４間の狭い部分にも流れ、磁極４の側面を有効に冷却することができる。
【００２４】
また、羽根７は、磁極４の隙間と相対する位置のみに設け、磁極４と相対する位置には設けていない。従って、羽根７により発生された風は、他で発生された風に干渉されず、風量が減少されることなく効率的に磁極４の間に流れる。
【００２５】
本発明の回転電機１０では、磁極４の隙間と相対する位置にのみに羽根７を設けているため、磁極４の端面に対して、直接、羽根７によって発生された風が当たらない。従って、磁極４の側面を羽根７によって発生させた風によって冷却しない。しかし、磁極４の間に効率的に冷却風を流すことで、隣接する２つの磁極４の側面を効果的に冷却することができる。また、磁極４の側面の面積が磁極４の端面よりも広いことから、磁極４の端面に対する冷却効果が低下したとしても、磁極４の側面を効果的に冷却することにより全体の冷却効率の向上を図ることができる。そして、磁極４の側面に対する冷却効果を向上せることで、磁極４の中心付近の温度の上昇を抑えて、磁極４の中心付近の回転子巻線４ｂの絶縁の劣化を回避することができる。
【００２６】
このようにして、本実施の形態における回転電機１０では、軸流ファンの羽根７の取付位置を見直して、隣接する磁極４の隙間に冷却風を流すために、回転子２の周方向の隣接する磁極４の隙間と相対する位置にのみに軸流ファンの羽根７を配置する。これにより、磁極４の隙間への風の流れを改善し、磁極４の側面に対する冷却効果を高めることが可能となる。磁極４の側面の冷却効果を高めることで、磁極中心付近の回転子巻線４ｂの温度上昇を抑えることができる。
【００２７】
以下、本発明の回転電機１０に設けられる軸流ファンの羽根の配置と形状の例について、第１〜第４の実施の形態として説明する。
【００２８】
（第１の実施の形態）
図３（Ａ）（Ｂ）は、本発明の第１の実施の形態における羽根７ａの配置と形状の一例を示す簡略図である。図３（Ａ）は、図２中の矢視Ｃより見た磁極４と羽根７ａの位置関係を示す図である。図３（Ｂ）は、羽根７ａの外観を示す斜視図である。
【００２９】
本発明の第１の実施の形態における羽根７ａは、図３（Ｂ）に示すように、例えば長方形の平面状の板部材により形成されている。図３（Ａ）に示すように、隣接する磁極４の隙間と相対する位置に、羽根７ａの面が回転子２の軸方向ＡＤに対して斜めになるように設けられている。例えば、羽根７ａは、隣接する２つの磁極４の隙間の中央に羽根７ａの中心部が一致するように配置される。なお、羽根７ａによって隣接する磁極４の隙間に風を導入することができれば、必ずしも磁極４の隙間の中央に合わせて羽根７ａを配置する必要は無い。
【００３０】
図３（Ａ）に示す例では、羽根７ａの長手方向を軸方向ＡＤに対して垂直に設け、回転子２の回転に伴って、羽根７ａの面に当たった風が隣接する磁極４の隙間に流れるように、短手方向を軸方向ＡＤに対して斜めに設けている。軸方向ＡＤに対して斜めに配置した羽根７ａの磁極４から遠い方の一方の端部側を風入口側７ａ１とし、磁極４に近い方の他方の端部側を風出口側７ａ２とすると、風入口側７ａ１の位置を風出口側７ａ２よりも回転子２の回転方向側に配置することで、羽根７ａを軸方向ＡＤに対して斜めに設けている。これにより、回転子２の回転に伴って、羽根７ａの面に当たった風が、磁極４の方向に流れる。
【００３１】
また、風出口側７ａ２の延長先を隣接する磁極４の隙間の方向に向けることで、羽根７ａに当たった風が他で発生された風などの干渉を受けることなく、直接、磁極４の隙間に導入される。これにより、隣接する磁極４の隙間に風が流れて、効率的に磁極４の側面を冷却することができる。
【００３２】
（第２の実施の形態）
図４（Ａ）（Ｂ）は、本発明の第２の実施の形態における羽根７ｂの配置と形状の一例を示す簡略図である。図４（Ａ）は、図２中の矢視Ｃより見た磁極４と羽根７ｂの位置関係を示す図である。図４（Ｂ）は、羽根７ｂの外観を示す斜視図である。なお、第１の実施の形態と共通する部分については同じ名称を付して詳細な説明を省略する。
【００３３】
本発明の第２の実施の形態における羽根７ｂは、図４（Ｂ）に示すように、例えば第１の実施の形態と同様の長方形の平面状の板部材を、長手方向に折り目７ｂ３を入れて折り曲げて形成している。図４（Ａ）に示すように、隣接する磁極４の隙間と相対する位置に羽根７ｂが配置され、羽根７ｂの風入口側７ｂ１の面が回転子２の軸方向ＡＤに対して、４５度から９０度未満の範囲内となるように設けられている。また、羽根７ｂの風出口側７ｂ２の延長先を隣接する磁極４の隙間の方向に向けるように設けられている。図４（Ａ）では、羽根７ｂの風出口側７ｂ２の延長先（風出口側７ｂ２の面）を軸方向ＡＤと一致させているが、必ずしも軸方向ＡＤと一致させる必要はない。
【００３４】
図４（Ａ）に示すように、軸流ファンの羽根７ｂの風入口側７ｂ１の面を軸方向ＡＤに対し、４５度から９０度未満の範囲で設けている。羽根７ｂの風入口側７ｂ１の面の軸方向ＡＤに対する角度が４５度以下とした場合には、回転子２の回転に伴って、羽根７ｂにより空気を磁極４の方向に有効に取り入れることができない。また、羽根７ｂの風入口側７ｂ１の面の軸方向ＡＤに対する角度が９０度以上とした場合には、逆に羽根７ｂが磁極４の方向への空気の導入を邪魔して、磁極４の隙間に送られる空気量を減らしてしまう。従って、軸流ファンの羽根７ｂの風入口側７ｂ１の面を軸方向ＡＤに対し、４５度から９０度未満の範囲で設けることで、回転子２の回転に伴って、風入口側７ｂ１の面に当たった風を磁極４の隙間に有効に送ることができる。これにより、隣接する磁極４の隙間に風が流れて、効率的に磁極４の側面を冷却することができる。
【００３５】
（第３の実施の形態）
図５は、本発明の第３の実施の形態における羽根７ｃの配置の一例を示す簡略図である。図５は、図２中の矢視Ｃより見た磁極４と羽根７ｃの位置関係を示す図である。第３の実施の形態の羽根７ｃは、図４（Ｂ）に示す羽根７ｂと同様に構成されるものとして図示を省略する。なお、第１の実施の形態と共通する部分については同じ名称を付して詳細な説明を省略する。
【００３６】
第３の実施の形態では、図５に示すように、羽根７ｃの風出口側７ｃ２の面を軸方向ＡＤと一致させている。なお、羽根７ｃの風入口側７ｃ１の面については第２の実施の形態と同じように設けられるものとする。図５（Ａ）では、例えば、羽根７ｃの風出口側７ｃ２の板厚中心と、隣接する磁極４の隙間の中央とを一致させている。
【００３７】
風出口側７ｃ２の面が軸方向ＡＤと一致していない場合、羽根７ｃの風出口側７ｃ２の面に沿って磁極４の方向に導入される風の流れが左右の何れかに偏ってしまう。この場合、隣接する磁極４の何れか一方に風が強く当たることになり、隣接する２つの磁極４の側面に対して均等に冷却することができない。この場合、何れかの磁極４の側面が部分的に高温になるおそれがある。
【００３８】
第３の実施の形態では、羽根７ｃの風出口側７ｃ２の面を軸方向ＡＤと一致させることで、回転子２の回転に伴って、風入口側７ｂ１の面に当たった風を、さらに風出口側７ｃ２の面に沿って磁極４の隙間に有効に送ることができる。これにより、隣接する磁極４の隙間に風が流れて、効率的かつ均一に磁極４の側面を冷却することができる。
【００３９】
なお、図５（Ａ）では、羽根７ｃの風出口側７ｃ２の板厚中心と、隣接する磁極４の隙間の中央とを一致させているが、風出口側７ｃ２の面に沿って流れる風が、磁極４の隙間の中央に均一に流れるように、羽根７ｃの風出口側７ｃ２の板厚中心が磁極４の隙間の中央から僅かに外れた位置となるように配置しても良い。例えば、図５においては、風出口側７ｃ２の面が、隣接する磁極４の隙間の中央を示す軸方向ＡＤの位置より右側となるように羽根７ｃを配置しても良い。
【００４０】
（第４の実施の形態）
図６（Ａ）（Ｂ）は、本発明の第４の実施の形態における羽根７ｄの配置と形状の一例を示す簡略図である。図６（Ａ）は、図２中の矢視Ｃより見た磁極４と羽根７ｄの位置関係を示す図である。図６（Ｂ）は、羽根７ｄの外観を示す斜視図である。なお、第１の実施の形態と共通する部分については同じ名称を付して詳細な説明を省略する。
【００４１】
第４の実施の形態では、図６（Ａ）（Ｂ）に示すように、軸流ファンの羽根７ｄは、第２の実施の形態の羽根７ｂあるいは第３の実施の形態の羽根７ｃと同様にして、長方形の平面状の板部材を折り曲げて形成しているが、羽根７ｂ，７ｃのように折り目を入れずに、風入口側７ｄ１の面と風出口側７ｄ２の面とを曲面により滑らかにつないだ構成としている。風入口側７ｄ１の面と風出口側７ｄ２の面の向きは、第２の実施の形態あるいは第３の実施の形態と同じとなるように配置される。
【００４２】
第４の実施の形態では、風入口側７ｄ１と風出口側７ｄ２の面を曲面により滑らかにつないだ構成とすることで、回転子２の回転に伴って風入口側７ｄ１の面に当たった風が、曲面に沿って滑らかに風出口側７ｄ２の面に流れる。従って、羽根７ｄの面に沿って向きを変えられた風は、流速が大きく低下されることなく、風出口側７ｄ２の面の向きに応じて、磁極４の隙間に有効に送ることができる。これにより、隣接する磁極４の隙間に比較的流速が速い風が流れて、効率的に磁極４の側面を冷却することができる。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
１…固定子、１ａ…固定子鉄心、１ｂ…固定子巻線、２…回転子、３…回転軸、４…磁極、４ａ…回転子鉄心、４ｂ…回転子巻線、５，７…軸流ファン、５ａ…羽根、６…軸受け、７ａ，７ｂ，７ｃ，７ｄ…羽根。
【図１】
2020018099.tif 000003
【図２】
2020018099.tif 000004
【図３】
2020018099.tif 000005
【図４】
2020018099.tif 000006
【図５】
2020018099.tif 000007
【図６】
2020018099.tif 000008
【図７】
2020018099.tif 000009
【図８】
2020018099.tif 000010
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
固定子鉄心と固定子巻線から構成される固定子と、
回転子鉄心と回転子巻線から構成される複数の磁極と複数の羽根を有する軸流ファンとが回転軸に固定された回転子を有する回転電機において、
隣接する磁極の隙間に冷却風を流すため、前記軸流ファンの羽根を前記回転子の軸方向に対して斜めの風入口側の第１面と前記軸方向に沿った風出口側の第２面を設けて形成し、前記回転子の周方向の隣接する磁極の隙間と相対し、前記磁極の前記軸方向の端面から離した位置にのみ、前記第２面の延長先を前記隙間の前記軸方向と一致する方向に向けて前記羽根を配置したことを特徴とする回転電機。
【請求項２】
請求項１記載の回転電機において、前記第２面の延長先を前記隙間の中央の前記軸方向と一致する方向に向けて前記羽根を配置したことを特徴とする回転電機。
【請求項３】
請求項１または２に記載の回転電機において、前記第１面が前記回転子の軸方向に対して、４５度から９０度の範囲内となるように、前記羽根を設けたことを特徴とする回転電機。
【請求項４】
請求項１乃至３の何れかに記載の回転電機において、前記羽根の前記第１面と前記第２面とを曲面により滑らかにつないだことを特徴とする回転電機。
【手続補正２】
【補正対象書類名】明細書
【補正対象項目名】００１３
【補正方法】変更
【補正の内容】
【００１３】
上記の課題を解決するために、請求項１の発明による回転電機は、固定子鉄心と固定子巻線から構成される固定子と、回転子鉄心と回転子巻線から構成される複数の磁極と複数の羽根を有する軸流ファンとが回転軸に固定された回転子を有する回転電機において、隣接する磁極の隙間に冷却風を流すため、前記軸流ファンの羽根を前記回転子の軸方向に対して斜めの風入口側の第１面と前記軸方向に沿った風出口側の第２面を設けて形成し、前記回転子の周方向の隣接する磁極の隙間と相対し、前記磁極の前記軸方向の端面から離した位置にのみ、前記第２面の延長先を前記隙間の前記軸方向と一致する方向に向けて前記羽根を配置したことを特徴とする。
【手続補正３】
【補正対象書類名】明細書
【補正対象項目名】００１４
【補正方法】変更
【補正の内容】
【００１４】
請求項２の発明による回転電機は、請求項１の回転電機において、前記第２面の延長先を前記隙間の中央の前記軸方向と一致する方向に向けて前記羽根を配置したことを特徴とする。
【手続補正４】
【補正対象書類名】明細書
【補正対象項目名】００１５
【補正方法】変更
【補正の内容】
【００１５】
請求項３の発明による回転電機は、請求項１または２に記載の回転電機において、前記第１面が前記回転子の軸方向に対して、４５度から９０度の範囲内となるように、前記羽根を設けたことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
請求項４の発明による回転電機は、請求項１乃至３の何れかに記載の回転電機において、前記羽根の前記第１面と前記第２面とを曲面により滑らかにつないだことを特徴とする。
【手続補正７】
【補正対象書類名】明細書
【補正対象項目名】００２３
【補正方法】変更
【補正の内容】
【００２３】
図２に示すように、複数の羽根７は、回転子２の周方向の隣接する磁極４の隙間と相対する位置にのみに配置される。磁極４は、周方向に等間隔に位置されているため、複数の羽根７も周方向に等間隔に配置される。図２に示す通り、磁極４の間はＶ字型になっており、中心部（回転軸３）に近づくほど狭くなっている。羽根７は、磁極４間の隙間と相対する位置、例えば隣接する磁極４の間の中央に配置される。従って、羽根７によって発生される風は、磁極４間の狭い部分にも流れ、磁極４の側面を有効に冷却することができる。
【手続補正８】
【補正対象書類名】明細書
【補正対象項目名】００３６
【補正方法】変更
【補正の内容】
【００３６】
第３の実施の形態では、図５に示すように、羽根７ｃの風出口側７ｃ２の面を軸方向ＡＤと一致させている。なお、羽根７ｃの風入口側７ｃ１の面については第２の実施の形態と同じように設けられるものとする。図５では、例えば、羽根７ｃの風出口側７ｃ２の板厚中心と、隣接する磁極４の隙間の中央とを一致させている。
【手続補正９】
【補正対象書類名】明細書
【補正対象項目名】００３９
【補正方法】変更
【補正の内容】
【００３９】
なお、図５では、羽根７ｃの風出口側７ｃ２の板厚中心と、隣接する磁極４の隙間の中央とを一致させているが、風出口側７ｃ２の面に沿って流れる風が、磁極４の隙間の中央に均一に流れるように、羽根７ｃの風出口側７ｃ２の板厚中心が磁極４の隙間の中央から僅かに外れた位置となるように配置しても良い。例えば、図５においては、風出口側７ｃ２の面が、隣接する磁極４の隙間の中央を示す軸方向ＡＤの位置より右側となるように羽根７ｃを配置しても良い。